(57)【要約】  少なくとも２セットの導電撚線（２）を備える容量性送電ケーブル（１）。前記セットの導電撚線がケーブルの横断面に分布し、前記２セットが互いに電気容量性の関係にある。【選択図】図２
2021527304.tif 000002
【特許請求の範囲】
【請求項１】
・互いに絶縁され、一方が他方に対して電気容量性の関係にある、少なくとも２セットの導電撚線を備え、
・２以上のセットの導電撚線のセット間の静電容量が少なくとも５ｎＦ／ｍであることを特徴とする、
容量性送電ケーブル。
【請求項２】
前記２以上のセットの導電撚線が層内で交互になっていることを特徴とする請求項１に記載の容量性送電ケーブル。
【請求項３】
前記導電撚線は、１つのセットの導電撚線が全て配置された後に、別のセットの導電撚線が全て配置されて交互になっている層の中に配置可能なことを特徴とする請求項１に記載の容量性送電ケーブル。
【請求項４】
前記セットの導電撚線がケーブルの横断面に分布し、前記2セットが互いに電気容量性の関係にあり、前記セットのうち少なくとも一方に属する全部の導電撚線に、絶縁耐力を持つ個別の絶縁被覆が設けられることで、前記セットの導電撚線を絶縁されたままにさせることを特徴とする請求項１、２または３に記載の容量性送電ケーブル。
【請求項５】
絶縁体の厚さが少なくとも１０μｍ厚であり、通常は２０μｍ〜５４０μｍの厚さであり、好ましくはｌ７μｍ〜１０７９μｍの厚さであることを特徴とする請求項１〜４の何れか一項に記載の容量性送電ケーブル。
【請求項６】
前記絶縁体にいわゆる「マグネットワイヤ」で使用される種類のエナメルからなる絶縁被覆が用いられていることを特徴とする請求項１〜５の何れか一項に記載の容量性送電ケーブル。
【請求項７】
前記絶縁被覆に押し出し、巻き付け、編み込みが可能なことを特徴とする請求項１〜５の何れか一項に記載の容量性送電ケーブル。
【請求項８】
導電撚線のセットのうち少なくとも１つを絶縁せずに、その他のセットの撚線を絶縁させることにより絶縁が提供されることを特徴とする請求項１〜７の何れか一項に記載の容量性送電ケーブル。
【請求項９】
導電撚線の全てのセットに個別の絶縁体が設けられることを特徴とする請求項１〜８の何れか一項に記載の容量性送電ケーブル。
【請求項１０】
各セットに属するそれぞれの絶縁体を別々に着色することでケーブルの両端において接続の区別ができることを特徴とする請求項９に記載の容量性送電ケーブル。
【請求項１１】
異なるセットに属する層の間に絶縁体が設けられ、前記少なくとも２つのセットが互いに静電容量的な関係にあることを特徴とする請求項１〜１０の何れか一項に記載の容量性送電ケーブル。
【請求項１２】
導電撚線の一方のセットをスズメッキにより着色し、その他のセットをスズメッキさせずにすることを特徴とする請求項１１に記載の容量性送電ケーブル。
【請求項１３】
層間の絶縁体がポリマーテープからなることを特徴とする請求項１１または１２に記載の容量性送電ケーブル。
【請求項１４】
前記ポリマーテープの厚さが、通常は３０μｍ〜１．３５ｍｍまでであり、好ましくは２５μｍ〜２．７ｍｍまでであることを特徴とする請求項１３に記載の容量性送電ケーブル。
【請求項１５】
前記導電撚線は、各層の間にソフトポリマー絶縁体が設けられることで、個々の撚線の間の隙間が埋められることを特徴とする請求項１〜１４の何れか一項に記載の容量性送電ケーブル。
【請求項１６】
１セットあたり４を超える導電撚線が存在し、通常は１セットあたり３７〜３９７の導電撚線が存在し、好ましくは１セットあたり１９〜５４７の導電撚線が存在することを特徴とする請求項１〜１５の何れか一項に記載の容量性送電ケーブル。
【請求項１７】
前記導電撚線が反対向きに捻られた層の中に配置されることを特徴とする請求項１〜１６の何れか一項に記載の容量性送電ケーブル。
【請求項１８】
前記導電撚線は、各層が加えられた後、ダイを通過するときに圧縮されることを特徴とすることを特徴とする請求項１〜１７の何れか一項に記載の容量性送電ケーブル。
【請求項１９】
前記導電線が銅またはアルミ製のワイヤであって、前記絶縁体がエナメル製であることを特徴とする請求項１〜１８の何れか一項に記載の容量性送電ケーブル。
【請求項２０】
導電撚線の前記セット間の静電容量が３．６ｋＶのケーブルに対して１０〜１７０ｎＦ／ｍの範囲内にあり、７２．５ｋＶのケーブルに対して５．５〜９２．５ｎＦ／ｍの範囲内にあることを特徴とする請求項１〜１９の何れか一項に記載の容量性送電ケーブル。
【請求項２１】
導電撚線の前記セット間の静電容量が２４０Ｖのケーブルに対して１４〜２３５ｎＦ／ｍの範囲内にあり、１４５ｋＶのケーブルに対して５〜８４ｎＦ／ｍの範囲内にあることを特徴とする請求項２０に記載の容量性送電ケーブル。
【請求項２２】
各層が互いに絶縁されている場合に各層が導電線１つの径の厚みを有することを特徴とする請求項１〜２１の何れか一項に記載の容量性送電ケーブル。
【請求項２３】
前記層に、一方が一方向に他方が反対方向に配置された、導電線からなる２つの副層が備えられることを特徴とする請求項１〜２２の何れか一項に記載の容量性送電ケーブル。
【請求項２４】
各層内の副層が編組により組み合わせ可能なことを特徴とする請求項２３に記載の容量性送電ケーブル。
【請求項２５】
・電気容量的に接続された前記導電撚線のセットの周りに設けられた絶縁体と、
・前記絶縁体の周りに設けられ、電気容量的に接続された前記導電撚線のセットと電気容量的に接続されている接地シースと、
を備え、
前記絶縁体が誘電体として機能するのに十分な厚みを有することで、導電撚線からシースまでの電気容量の大きさが、前記２セットの導電撚線の間の電気容量と比べて、実質的に２桁以上小さくなっていることを特徴とする請求項１〜２４の何れか一項に記載の容量性送電ケーブル。
【請求項２６】
前記シースが外装のため渦巻状に配置されたスチールワイヤからなり、好ましくは接地導体として機能することを特徴とする請求項２５に記載の容量性送電ケーブル。
【請求項２７】
電源側または負荷側の導電線に容量性送電ケーブルを接続するために、第１セットの導電線および第２セットの導電線のための端子を有する接続ブロックが設けられていることを特徴とする請求項１〜２６の何れか一項に記載の容量性送電ケーブル。
【請求項２８】
各接続ブロックにおける一方の端子は、電源接続端子または負荷接続端子がなく孤立しており、他方に電源端子または負荷端子が設けられていることを特徴とする請求項２７に記載の容量性送電ケーブル。
【請求項２９】
前記電源端子または前記負荷端子が、永続的に接続されたバスバーであることを特徴とする請求項２８に記載の容量性送電ケーブル。
【請求項３０】
両側のそれぞれの導電線セットに対して設けられたそれぞれ端子を備え、また内側に相互接続部が設けられた、並列接続コネクタを備え、一本の導電線が同じもう一本の導電線と接続され、その他の導電線も同様にして接続されることを特徴とする請求項２７、２８または２９に記載の容量性送電ケーブル。
【請求項３１】
一側に１セットのための端子を有し、前記端子が他側にある別の何れかもう一本のセットのための端子に内部接続されている、直列接続コネクタを備え、前記直列接続コネクタのそれぞれの側に設けられた、残りのセットの孤立した端子が終端処理されていることを特徴とする請求項２７、２８、または２９に記載の容量性送電ケーブル。
【請求項３２】
請求項１〜２８の何れか一項に記載の少なくとも２以上のケーブルと、請求項３０に記載の少なくとも１つの並列接続コネクタと、請求項３１に記載の少なくとも１つの直列接続コネクタと、が組み合わされ、ケーブルとコネクタが望ましい電気容量を有する１つの長いケーブルとして接続されていることを特徴とする、請求項１〜２８の何れか一項に記載の容量性送電ケーブル。
【請求項３３】
ケーブルの電気容量を選択するため、または一本のまっすぐな接続のために、少なくとも１つの追加セットの導電撚線が備えられることを特徴とする請求項１〜３２の何れか一項に記載の容量性送電ケーブル。
【請求項３４】
少なくとも２セットの導電撚線を備え、前記セットのうち少なくとも一方に属する全ての導電撚線に個別の絶縁体が備えられ、前記２セットが互いに静電容量性の関係にあり、前記導電撚線が反対向きに捻られた層の中に配置され、各層の中に少なくとも２セットの導電撚線が設けられていることを特徴とする容量性送電ケーブル。
【請求項３５】
少なくとも２セットの導電撚線を備え、前記導電撚線が反対向きに捻られた層の中に配置され、１以上の隣接した層に属する撚線が全て１つのセットに属し、これより半径方向に外側にある１以上の隣接した層に属する撚線が全て別の１つのセットに属し、異なるセットに属する層と層の間に絶縁体が設けられ、前記少なくとも２つのセットが互いに静電容量的な関係にあることを特徴とする容量性送電ケーブル。
【発明の詳細な説明】
【技術分野】
【０００１】
本発明は容量性送電ケーブルに関する。
【背景技術】
【０００２】
米国特許第１，８２５，６２４号明細書には以下が説明され特許請求されている：
【０００３】
１．電力送達システムにおいて、交流電流源と、受信回路と、前記電流源および前記受信回路を内部接続する伝送回路と、前記伝送回路と直列に介在し、前記システムの電力限界を高めるために、前記伝送回路の誘導リアクタンスをなくすのに実質的に十分な値を有する分散型電気容量と、を備える。
【０００４】
米国特許第４，２０４，１２９号明細書の要約書は下記の通りである：本発明は、電力の送電に関し、特に発電機と負荷との間の直列のケーブルに電気導体を利用して静電容量を含めることにより、ベクトル調整、電圧降下、および電力損失が低減された送電システムを提供し、電気導体とは、ケーブルの長さに沿って分布した静電容量を有する接続リンクのことである、ことを特徴とする。この種の電気容量は、導体を誘電体で隔てた２つの部分に分割し、これら２つの導体部分がケーブル長に沿って静電容量的な関係になるようになっており、一方の導体部分を発電機側に接続し、他方の導体部分を負荷側に接続することで、分散した電気容量が発電機と負荷に直列に存在するようにすることで、達成される。
【０００５】
国際公開第２０１０／０２６３８０号には、その要約書と図０（従来技術である）を参照して以下が記載されている：電荷移動ゼロ損失電力及び信号伝送ケーブルは、一直線に順に重ねて積層され、それぞれがいかなる所望の長さのケーブルをもたらすよう電気的に結合可能な、８本の導電材料（１８）を備える。各導電層は、誘電材料（１９）の代替層により互いに分離している。導電層（１０−１７）は、各折り畳み閉ループのひだ（２２）の頂点は互いに反対向きで、ケーブルの端である、帯電折り畳み閉ループ（２０）と放電折り畳み閉ループ（２０）へ形成され、誘電材料（１９）により互いに分離されることにより容量接触させ、電荷を帯電ループから放電ループへ移動する手段であり、これにより交流を電源から伝送地点へ上記ふたつの帯電及び放電ループにより実質的にゼロ抵抗で伝送し、これにより電力を電源から伝送地点へゼロ電力損失で所望の距離を超えて伝送する。
【０００６】
国際公開第２０１０／０２６３８０号の内容は本明細書に参照により取り込まれる。驚くべきことに、この種の容量性ケーブルは、長距離にわたって、損失を完全にはゼロにすることはできないにしろ、損失を低く抑えながらデータおよび／または電力を送達することができる。我々の実験によりこれが証明された。
【０００７】
このケーブルについては、ループの構成が重要であるとこれまで教えられてきた。我々はループの構成は本質的ではないと信じている。
【０００８】
リッツ線およびミリケンコンダクターは、通常いわゆる「エナメル」により互いに絶縁された、細い撚り線と太い撚り線からそれぞれ構成され、通常は撚られて共に束ねられているものとして知られており、エナメルは磁気ワイヤに使用されるポリマーベースである。これらにより、単位長さあたり同じ導電材料の量で、単巻の導電体の導電容量を小さくするスキン効果を抑えることができる。ミリケンコンダクターにおいて、ワイヤは必ずしも互いに絶縁されているわけではなく、特に互いに６つのセグメントに絶縁されて配置されている。ミリケンコンダクターにおけるワイヤの互いの絶縁の通常の程度は軽い。（インターネット：URL：http://www.electropedia.org/iev/iev.nsf/display?openform&ievref=461-01-15）
【０００９】
リッツ線およびミリケンコンダクターはこのようなものとしては不適であるが、これは前者が低負荷に適しているが、ミリケンコンダクターには軽い絶縁しか存在しないためである。
【発明の概要】
【発明が解決しようとする課題】
【００１０】
本発明の目的は改良した容量性送電ケーブルを提供する点にある。
【００１１】
本発明の第１の態様によれば、少なくとも２セットの導電撚線を備え、前記2セットの導電撚線が互いに絶縁されて、互いに電気容量性の関係にあることを特徴とする容量性送電ケーブルが提供される。
【００１２】
好ましくはこの電気容量は少なくとも１０ｎＦ／ｍである。
【００１３】
本発明の第２の態様によれば、容量性送電ケーブルであって、少なくとも２セットの導電撚線を備え、前記２セットの導電撚線はケーブルの横断面に分布し、前記２セットが互いに電気容量性の関係にあり、前記少なくとも2セットのうち少なくとも１つの全ての導電撚線のそれぞれに、絶縁耐力を持つ絶縁被覆が設けられることで、前記セットの導電撚線を絶縁されたままにさせることを特徴とする容量性送電ケーブルが提供される。
【００１４】
通常、１セットあたり４を超える導電撚線が存在し、好ましくは１９〜５４７の間、通常は３７〜３９７の間だけ導電撚線が存在する。通常は、撚線は反対向きに捻られた層の中に配置されることになる。さらに２以上のセットからなる撚線は好ましくはそれぞれの層で交互になっている。
【００１５】
ケーブルは外シースを設けることができ、これには渦巻状に配置されたスチールワイヤの外装が含まれる。外装は接地導体とすることができる。
【００１６】
場合によっては、撚線は交互の層内に１つのセットを全部配置させた後に、別のセットを全部配置させることができる。
【００１７】
場合によっては、絶縁体はいわゆる「マグネットワイヤ」で使用される種類のものであって、少なくとも１８μｍ厚を有し、好ましくは２４μｍ〜２６２μｍの間にあり、通常は２６μｍ〜１９０μｍの間にある。
【００１８】
本発明の第３の態様によれば、少なくとも２セットの導電撚線を備え、前記セットのうち少なくとも１つに含まれる全ての撚線が個々に絶縁被覆を有し、前記２セットが互いに電気容量性の関係にあって、前記導電撚線が、対向して捻られている層の中に配置され、各層の中に少なくとも２セットの撚線が設けられていることを特徴とする容量性送電ケーブルが提供される。
【００１９】
絶縁体は押し出し、巻き付け、編み込むことができるが、好ましくは典型的にいわゆる「マグネットワイヤ」で使用される種類のエナメル製である。
【００２０】
さらに２以上のセットからなる撚線が好ましくは層の中で交互になっている。
【００２１】
３つ全ての態様において、導電撚線のセットの１つを絶縁せずに、他のセットの撚線を絶縁させることにより隔離を提供することができるが、好ましくは全撚線のうち両方に自身の絶縁体が設けられる。
【００２２】
好ましくは、各セットに属するそれぞれの絶縁体を別々に着色することでケーブルの両端において接続の区別ができる。２セット以上の撚線が設けられる場合には、各々が個々の色を有する。
【００２３】
自身の絶縁体に加えて、撚線は通常、各層の間にソフトポリマー絶縁体を設けることで個々の撚線の間の隙間が埋められる。
【００２４】
本発明の第４の態様によれば、少なくとも２セットの導電撚線を備え、前記導電撚線が反対向きに捻られた複数の層の中に配置され、１以上の隣接した層に属する前記撚線が全て１つのセットに属し、これより半径方向に外側にある１以上の隣接した層に属する前記撚線が全て別の１つのセットに属し、異なるセットに属する層の間に絶縁体が設けられ、前記少なくとも２つのセットが互いに静電容量的な関係にあることを特徴とする容量性送電ケーブルが提供される。個々の撚線を絶縁させ、認識させやすくするために異なる色を着けることもできるが、この観点からその必要はない。もしくは、一方のセットをスズメッキにより着色し、他のセットはメッキさせずにすることで、好ましくは別に着色させることができる。
【００２５】
層間の絶縁体は好ましくはポリマーテープからなり、好ましくは２５μｍ〜２．７ｍｍまでの厚さであり、通常は３０μｍ〜１．３５ｍｍまでの厚さである。
【００２６】
前出の態様において撚線は、各層が加えられた後、ダイを通過するときに通常は圧縮される。ダイの圧縮の程度を制御することにより、撚線の外縁に接して設けられている絶縁体への損傷が防止される。
【００２７】
導電体は通常は銅製またはアルミ製のワイヤである。通常、絶縁体はいわゆるマグネットワイヤで使用される俗に言われるエナメルである。
【００２８】
通常の送電ケーブルと同様に、ケーブルの電力容量が本発明に係るケーブルの導電体全断面積を決めている。ケーブルの末端では、電流のほとんどは、２セットの撚線の一方または他方が担っている。各セットの撚線が通常の導体断面積を有するならば、ケーブルは２倍の量の金属を使用していることになる。しかし、導体の量は、一端側での一方のセットの割合と他端側での他方のそれを高めることにより、何れかの端部で変更させることができる。これは一方のセットの撚線の数を減らし、他方側の撚線の数を増やすことにより行うことができる。場合によっては、各層が交互のセットからなる場合には、追加の、１セットの外層を含めることができる。前者が同量の導体を使用し、後者はより多くの導体を使用する。これはケーブルの１つまたは２つの部分で、通常は長さが２５０ｍ〜４００ｍの埋設ケーブルであって、ケーブルのバランスが通常のケーブル部分である、ケーブルの末端でのみ起こることが予想される。各部分は下記の通り接続することができる。
【００２９】
例えばケーブルが海底ケーブルであるである場合には、その大部分はコネクタのない１つの長い部品として敷設することができる。これは１つの層に属する撚線の全てが１つのセットからなり、別に属するものの全てがまた別のセットからなる層状ケーブルで特に都合が良い。セット内の撚線が層の中で絶縁されている場合、層と層が絶縁されているが、これは撚線の新たな長さ部分を積み重なりの中に段々と取り込むことができるからである。さらに我々は最小となる導体断面積を５０ｍｍ２と予想する。
【００３０】
本発明の第５の態様によれば、少なくとも２セットの導電撚線を備え、前記セットの導電撚線は互いに絶縁され、一方が他方に対して電気容量性の関係にあって、前記電気容量は少なくとも１０ｎＦ／ｍであることと特徴とする容量性送電ケーブルが提供される。
【００３１】
好ましくは、撚線からなる各セットの間の電気容量は、２４０ボルトケーブルに対して２５〜３６０ｎＦ／ｍの範囲内にあり、１４５ｋＶケーブルに対して１３〜ｌ８７ｎＦ／ｍの範囲内にあり、特に３．６ｋＶケーブルに対して２２〜３１７ｎＦ／ｍの範囲内にあり、７２．５ｋＶケーブルに対して１４．５〜２０９ｎＦ／ｍの範囲内にある。直観とは反するが、撚線が積み重なる形状とそれらの径によって、これらのセット間で達成することのできる電気容量は、高まる電圧の値と共に落ちて行くことが認められる。本発明は１４５ｋＶケーブルに限定されない点に注意されたい。より高い電圧のケーブルを想定することができる。
【００３２】
導線の電極セットの両方に同じエナメル絶縁体を設けることが可能であると想定される場合、これらは視覚的に区別できないであろう。しかし、他端側で電気信号を印加することにより、一端側で個々にこれらを認識することができると予想される。都合が良いことに、各導電線は他端側で１つの電極セットに一緒にまとめることができ、好ましくは共に接続され、信号が印加されると一端で選別され、もう一方の電極を、個々の導線に信号が存在するか否かで認識することができる。
【００３３】
通常は、特に各層が互いに絶縁されている場合、各層の厚みは導線１つの径の厚さとなる。しかし各層には、都合よくは一方が一方向に他方が反対方向に配置された、導線からなる２つの副層を備えることができる。特に、各層の副層は編組により組み合わせることができる。
【００３４】
本発明の第６の態様によれば、
・少なくとも２セットの導電撚線を備え、導電撚線からなる前記セットが互いに絶縁されて、一方が他方に対して電気容量的な関係にあり、
・電気容量的に接続された前記導電撚線のセットの周りに絶縁体が設けられ、また
・前記絶縁体の周りに接地シースが設けられ、前記接地シースが電気容量的に接続された前記導電撚線のセットと電気容量的に接続されており、前記絶縁体が誘電体として機能するのに十分な厚みを有することで、導電撚線からシースまでの電気容量の大きさが、前記２セットの導電撚線の間の電気容量と比べて、実質的に２桁以上小さくなっていることを特徴とする容量性送電ケーブルが提供される。
【００３５】
通常の絶縁体およびシースからコアまでの電気容量、通常は８ｍｍのポリエチレン製は、実質的に２桁大きさが小さな電気容量を提供することになる。
【００３６】
電源側および負荷側の導電線に容量性送電ケーブルを接続するために、接続ブロックに、通常は第１セットの導電線および第２セットの導電線用の端子が設けられる。各ブロックにおける一方の端子は通常、電源接続端子または負荷接続端子がなく孤立しており、他方に電源接続端子または負荷接続端子が設けられている。このブロックにより容量性ケーブルとしてのケーブルの接続が促進され、一方の導線セットを電源側での使用に接続し、他方の導線セットは負荷側の他端側に接続される。
【００３７】
電源側コネクタと負荷側コネクタの両方または一方に、電源側端子および負荷側端子に永続的に接続されたバスバーを備えることができる。実際、このようなバスバーにこれらのコネクタを設けることができる。
【００３８】
本発明に係る２本のケーブルを接続するために、２種類のコネクタが提供される。並列接続のものは、両側のそれぞれの導電線セットに対してそれぞれ端子が設けられ、また内側に相互接続部が設けられ、一本の導電線が同じもう一本の導電線と接続され、その他の導電線も同様にして接続される。直列接続のコネクタには一側に１セットのための端子を有し、これは他側にある別の何れかのもう一本のためのセットの端子に内部接続されている。その他のセットはコネクタのそれぞれの側における孤立した端子で終端処理されている。
【００３９】
電気容量を、特定の長さ部分の間の並列コネクタと、他の長さ部分の間の直列コネクタを使用することで設計するためには、長いケーブルが期待される。
【００４０】
３セット以上あるケーブルを利用することでケーブルの電気容量をさらに選択することができ、これは例えば第３セットの導電線を第１セットの導電線と並列にして追加し、また第４セットの導電線を第１セットの導電線と並列にして追加し、第３セットと第４セットを静電容量的に接続することによりなされる。
【００４１】
場合によっては、または追加で、別のセットの導電線を両端で接続することにより、一本のまっすぐな接続を提供することができる。
【００４２】
本発明の理解を助けるために、次に、その様々な特定の実施形態を、例として、添付の図面を参照して説明する。
【図面の簡単な説明】
【００４３】
【図１】図１は本発明のケーブルを一部むき出しにした短い部分の側面図である。
【図２】図２は外シースのない本発明の簡単な導電線からなる導電線セットの横断面図の線図である。
【図３】図３は図２と同様に、交互になった２セットの導電撚線を層と共に有する本発明の７層ケーブルに関する図である。
【図４】図４は撚線のセットが層で交互になっている５層ケーブルを表す同様の別の図である。
【図５】図５は６層を有する図４のケーブルの変形例である。
【図６】図６は図２のケーブルの両端に同様のコネクタが設けられることによりケーブルが他の同じようなケーブルと並列接続されることを示す図である。
【図７】図７は図２のケーブルの末端にバスバーコネクタが設けられたことを表す図である。
【図８】図８は本発明に係るケーブルのペア用の並列コネクタである。
【図９】図９は本発明に係るケーブルのペア用の直列コネクタである。
【図１０】図１０は本発明に係るケーブルのケーブル末端コネクタである。
【図１１】図１１は一般的なエナメル被覆の選択に関する典型的な絶縁耐力を示すチャート図である。
【図１２】図１２は一般的なフィルム／テープの選択に関する典型的な耐力を示すチャート図である。
【図１３】図１３はｋＶ単位の電圧に対するｍｍ単位での下限のエナメルの厚みを表すチャート図である。
【図１４】図１４はｋＶ単位の電圧に対するｍｍ単位での好ましい下限のエナメルの厚みを表すチャート図である。
【図１５】図１５はｋＶ単位の電圧に対するｍｍ単位での好ましい上限のエナメルの厚みを表すチャート図である。
【図１６】図１６はｋＶ単位の電圧に対するｍｍ単位での上限のエナメルの厚みを表すチャート図である。
【図１７】図１７は図１３〜１６を組み合わせたチャート図である。
【図１８】図１８はｋＶ単位の電圧に対するｎＦ／ｍ単位での最小電気容量を表すチャート図である。
【図１９】図１９はｋＶ単位の電圧に対するｎＦ／ｍ単位での好ましい下限の電気容量を表すチャート図である。
【図２０】図２０はｋＶ単位の電圧に対するｎＦ／ｍ単位での好ましい上限の電気容量を表すチャート図である。
【図２１】図２１はｋＶ単位の電圧に対するｎＦ／ｍ単位での最大電気容量を表すチャート図である。
【図２２】図２２は図１７〜２１を組み合わせたチャート図である。
【発明を実施するための形態】
【００４４】
各図面を参照すると、送電ケーブルはシース３内に銅撚線２を備えている。シースは一般的に慣習的なものであって、外保護ポリマー層４と、スチール／銅ワイヤ保護接地層５と、半導体層６と、絶縁層７と、半導体層８とを有している。銅導電撚線は本発明の通りである。
【００４５】
典型的に３００ｍｍ２の断面を持ち、３３ｋＶでの作動が意図されているケーブルでは、銅撚線２は典型的に１６ｍｍのレイアップ径１２を有する。絶縁層は通常８ｍｍ厚であるから、３２ｍｍの径１４および２：１の比率となる。各セット間の典型的な電気容量が１２０ｎＦ／ｍであり、導電撚線のグラウンドに対する電気容量が全体で典型的に０．３ｎＦ／ｍとなる導電撚線では、グランドに対する電気容量が２セットの撚線間の電気容量より２桁小さなものとなる。さらに撚線またはその層の間の絶縁体は通常０．１〜０．２ｍｍにあるため、撚線内の絶縁体の厚さに対する絶縁体からグランドまでの厚さの典型的な比率は、４０：１〜８０：１である。
【００４６】
２セット２１，２２の銅撚線が存在する。各々のセットにおいて、撚線２３，２４は、通常は赤と緑で、それぞれ別々に着色されている絶縁エナメル２５，２６を有しており、いわゆる「マグネットワイヤ」の製造で使用されるタイプであって、つまり銅線に絶縁ポリマー材料が被覆されることで、近接する巻線同志に電磁気装置内での絶縁が提供される。
【００４７】
撚線は下記のように重ね合わせられる：
層１：２つの赤色撚線２３および２つの緑色撚線２４を時計回りに捩る。
層２：５つの赤色撚線２３および５つの緑色撚線２４を反時計回りに捩る。
層３：８つの赤色撚線２３および８つの緑色撚線２４を時計回りに捩る。
層４：１１の赤色撚線２３および１１の緑色撚線２４を反時計回りに捩る。
層５：１４の赤色撚線２３および１４の緑色撚線２４を時計回りに捩る。
層６：１７の赤色撚線２３および１７の緑色撚線２４を反時計回りに捩る。
層７：２０の赤色撚線２３および２０の緑色撚線２４を時計回りに捩る。
【００４８】
各層は従来型のケーブル巻線機を用いて設置され、ケーブル巻線機は、交互となった個々の層に対する赤色撚線および緑色撚線のボビンを有する。各層の間にはソフトポリマー材料が巻かれている。各層が設置された後、最後に設置された層の撚線は、この材料に対して圧がかけられ、これにより撚線間の隙間がこれで埋められるように促される。この場合にもまた、エナメルの損傷を防ぐために撚線がこの圧縮のために通過するダイがそうでない場合と比べて僅かに大きな点を除いては、重要な慣用ステップである。
【００４９】
撚線は互いに密着しており、３つの撚線が正三角形の配置にあるとき、エナメル被覆の厚さと、隙間を埋めるソフトポリマーの分だけで隔てられている。図３を参照すると、図面には同じセットに属する数個の撚線が互いに整列して配列されているが、この図面はケーブルに沿った特定の箇所における断面図である。隣接している層の捻りが反対であるため、撚線の断面配置はケーブルに沿った各箇所で異なる。この配置により2セットの撚線は互いに電気容量的な関係にある。
【００５０】
図４に着目すると、図示の送電ケーブル１０１は２セット１２１，１２２の銅撚線１２３，１２４を有しており、それぞれ別々に着色されている絶縁エナメルと、中間層絶縁体１２７とを有している。撚線は、すべて何れかのセットに属する対向方向に捩じられた層の中に配置される。中央のポリマーフォーマー１３１が提供され、これは温度感知光学ファイバー（図示せず）などのデータファイバーを収容するために中空である。撚線は下記のように重ね合わせられる：
【００５１】
層１：１６の赤色撚線１２３；
層２：２２の赤色撚線１２３；
層３：２８の緑色撚線１２４；
層４：３４の赤色撚線１２３；
層５：４０の緑色撚線１２４
【００５２】
このケーブルでは、放射状に交互となった２セットの撚線から静電容量的な関係が発生する。追加の撚線層１が、次の層２と同じ色／セットの撚線である理由は、そうしないと赤色撚線１２３の合計数が緑色撚線１２４の合計数と比べて著しく少なくなるからであって、これから説明するように、このため前者にこれらの撚線が接続されているケーブル末端で、かなり多くの電流が流れるであろう。
【００５３】
第２送電ケーブルの変形例が図５に図示されている。同セットの層が内側２つではなく、２番目と３番目の層となっている。異なる撚線の層あたりの撚線の数は
層１：１６の赤色撚線１２３；
層２：２２の緑色撚線１２４；
層３：２８の緑色撚線１２４；
層４：３４の赤色撚線１２３；
層５：４０の緑色撚線１２４；
層６：４６の赤色撚線１２３
である。
【００５４】
このケーブルには追加の層６が設けられており、電力送達能力が高くなっている。ケーブルの単位長あたりの電気容量の選択については、ケーブルおよびケーブルがなす電力供給システムの他の部品のインダクタンスを考慮し、このインダクタンスをケーブルの電気容量とバランスさせることが念頭に置かれる。より具体的には以下のステップが行われる。
【００５５】
１．ケーブルが送電する電流と電圧、特にコアに含まれる金属の断面積と、第１イテレーションにおけるエナメル線の数、および／または、層の数と、長さ（１）に基づいて、最初のケーブルサイズを選択するステップ。
【００５６】
２．コンピューターシュミレーションとモデリングを利用し、特に自己インダクタンスおよび、必要に応じて通常のケーブルのように、三相システムに含まれることから生じる可能性のある相互インダクタンスを含めることにより、ケーブルの設計インダクタンス（LD）とケーブルの抵抗（R）を計算するステップ。
【００５７】
３．LDから生じるケーブルの誘導リアクタンスが下記の誘導リアクタンス式：
【数１】
2021527304.tif 000003
で与えられ、ただしｆはＨｚでの作動周波数であって、通常は５０または６０Ｈｚである点を考慮するステップ。
【００５８】
４．ケーブルの容量性リアクタンスとして、電気容量Ｃに対して下記の容量性リアクタンス式：
【数２】
2021527304.tif 000004
が与えられ、ただしｆはＨｚでの作動周波数であって、通常は５０または６０Ｈｚである点を考慮するステップ。
【００５９】
５．ＸＬがＸＣとほぼ同じであるがわずかに大きな点を考慮して、以下の範囲を推奨するステップ：
【数３】
2021527304.tif 000005
【００６０】
６．望ましいケーブル電気容量 (C)を以下の範囲で計算するステップ：
【数４】
2021527304.tif 000006
【００６１】
７．以下の各表を使用して、適切なケーブルパラメターを選択可能とし、これによりワイヤの数または層の数を見直すことを可能にし、この場合にケーブルの選択を改善するステップ。
【００６２】
８．全てのインダクタンスがバランスされない場合には、ＬＤをできるだけ最大限にバランスさせることができ、その負荷を支えることができるケーブルが選択される。
【００６３】
９．他のインダクタンスの要素がバランスされる場合には、ＬＤ  ひいてはＸＬを変更することによりこれを考慮することができる。
【００６４】
１０．得られた設計をその後シミュレーションの中でモデル化することで、最初のインダクタンスの計算のＬＤと、設計見直しを示唆している可能性のある得られたＸＬおよびＸｃを、実証することができる。一以上の追加イテレーションが必要とされる場合もある。
【００６５】
規模の観点から言えば、１５ｋｍのケーブルに対して、１２０ｎＦ／ｍで３７５ｎＨ／ｍのケーブルインダクタンスをバランスさせることができ、これはトレフォイルに配置される三相３３ｋＶケーブルに対して典型的なものである。つまり長さの異なるケーブルを考える場合にはその長さを考慮する必要があることに注意するべきである。
【００６６】
以上のステップは、マグネットワイヤエナメルであっても、チャート図１〜６（図１１〜１６）に図示される通り、誘電材料の耐力が電圧と共に線形に上昇しないという事実を考慮する必要がある。
【００６７】
参照する表は以下の通りである：
【表１】
2021527304.tif 000007
【００６８】
Ｙ軸のスケールは上のチャート図で異なっており、下限プロットと低く好ましいプロットは類似することが認められる。相対的な値を理解するためにこれらは、チャート図７〜１２（図１７〜２２）、および下記の表２〜６に示されているように、組み合わせることができる。
【００６９】
【表２】
2021527304.tif 000008
【００７０】
【表３】
2021527304.tif 000009
【００７１】
【表４】
2021527304.tif 000010
【００７２】
【表５】
2021527304.tif 000011
【００７３】
【表６】
2021527304.tif 000012
【００７４】
上記表およびチャート図は最も一般的な送電電圧に対する変数の値を表している。しかし本発明はこれらの電圧には限定されない。
【００７５】
また、以下のチャート図は、そのグラフが中心部分に基づくものであるが、幅広い電圧の範囲が示されている。上記のケーブルは何れも、その変形例を含めて、本質的には同じように接続されており、つまり一方のセットに属する撚線、通常は赤色のセット、が両端で束ねられており、他方のセットに属する撚線も同じようにして束ねられている。
【００７６】
各々の束に分割された後、撚線の各末端でエナメルが剥ぎ取られる。むき出しとなった撚線はそれぞれの端子ブロックに挿入され、共に固く締め付けられることで、機械的な、より重要には電気的な接続が提供される。
【００７７】
次に図６〜１０を参照して本発明に係るケーブル１００１のコネクタを説明する。全ての赤色ワイヤ１００３は結束されている。全ての緑色ワイヤ１００４も同様にして結束されている。ワイヤはケーブルの他端側で同様にして結束されている。エナメルは、結束されたワイヤの各末端から、好適には溶媒に浸すことにより剥がされる。結束された各末端は各々のコネクタ１００７，１００８に引き合わせられる。これらは結束の束のための両端ソケット１００９を有する。ソケットの各末端部には孔１０１０が備えられ、ケーブル束のための締め付け螺子１０１２が設けられている。束となったワイヤはボア１０１０の中に挿入され、締め付けられる。この配置によりケーブル１００１を他の同じようなケーブルに並列接続することができ、その赤色ワイヤはコネクタによりケーブル１００１の赤色ワイヤに接続され、緑色ワイヤも同様にして接続される。このソケットに対して、他端の孔１０１１および他端の締め付螺子１０１４が備えられる。この孔１０１１は複数の孔１０１０を有する貫通孔とすることができる。穴開けされていない中間部を有する配置により、何れのワイヤセットも他方のためのスペースをとらない。
【００７８】
ケーブルが電源と負荷との間で一本のケーブルとして使用される場合、ケーブルの電気接続は、細長いキャパシタとしての赤色ワイヤと緑色ワイヤの間で接続され、ケーブル１００１の長さが延長される。それぞれの電源ケーブルおよび負荷ケーブル／バスバー１０１５，１０１６は、ケーブル一端の赤色ワイヤソケット１０１７と他端の緑色ワイヤソケット１０１８の、他方のボア１０１１の中で固定される。したがって、赤色ワイヤ１００３は端部１００５で電源ケーブル／バスバー１０１５に接続され、緑色ワイヤ１００４は端部１００６で負荷ケーブル／バスバー１０１６に接続される。電源ケーブル／バスバー１０１５と負荷ケーブル／バスバー１０１６との間に金属と金属の接触は存在しない。コネクタには他に絶縁された片端ソケット１０１９が備えられ、単一の孔１０２０と単一の締め付け螺子１０２１が設けられている。他のワイヤ、つまり電源供給側の緑色ワイヤと負荷側の赤色ワイヤは、これらのソケットの中に受け入れられ固定される。これらのワイヤはソケットで接続されておらず、絶縁状態を維持するため単に機械的な理由で固定されている。絶縁エナメルを剥がす必要はなく、むしろエナメル被覆させたままにすることで識別が容易となる。これらの絶縁された端部は送電に寄与しない。
【００７９】
図４、５で示されたコネクタが図示されている。
【００８０】
図８、９、１０にはより詳細が示されている。これらにはコネクターカバー１０５０が含まれており、これは本質的に慣習的なものであって、使用時には絶縁材料１０５１で充填されている。実際の接続配置には、絶縁材料からなり、４つのソケット１０５３を有する中央ブロック１０５２が備えられており、各末端部から延びるケーブルワイヤを締め付けるための孔とボルトが設けられている。図１０では３つのソケットが存在する。
【００８１】
一側のソケットが他側のソケットに内部で電気的に接続されている。これは内部孔と内部ボルトの間の短い慣習的なケーブル１０５４によるものである。まず接続が行われ、その後、接続部の周辺にブロックが形成される。
【００８２】
図８では、４つのソケットがペアになって接続されており、２つの短長ケーブル部分１５４８１，１５４８２を介して、ソケット１５３８１がソケット１５３８３に、またソケット１５３８２がソケット１５３８４に接続されている。このコネクタにより本発明の２つのケーブルが並列に接続され、これらケーブルのうち赤色ワイヤ１００３が、ソケット１５３８１，１５３８３とケーブル１５４８１により、接続され、緑色ワイヤ１００４がソケット１５３８２，１５３８４とケーブル１５４８２により接続される。
【００８３】
図９の場合、４つのソケットが１組になって接続されており、ソケット１５３９１とソケット１５３９４が短長ケーブル１５４９１を介して接続されている一方で、ソケット１５３９２，５３９３は接続されていない。このコネクタにより本発明の２つのケーブルが直列に接続され、例えばソケット１５３９１，１５３９２で接続されているケーブルの赤色ワイヤは、ケーブル１５４９１により、ソケット１５３９３，１５３９４で接続されているケーブルの緑色ワイヤに接続される。第１ケーブルの緑色ワイヤと第２ケーブルの赤色ワイヤはコネクタ１５３９２，１５３９３により単に固定されている。ケーブル１５４９４は、両側の赤色ワイヤと緑色ワイヤを同じ相対位置で接続するために、上から下に向かって交差している。
【００８４】
図１０では、３つのソケットに１つの内部ケーブル１５４１０１が設けられている。一側に入力ケーブル用のソケット１５３１０１，１５３１０２が設けられ、他側には、電源または負荷への出力用の慣習的なケーブル１５５のためのソケット１５３１０３が設けられている。これにより入力ケーブルの緑色ワイヤを、内部ケーブル１５４１０１で単一ソケット１５３１０３に接続させることができると同時に、入力ケーブルの赤色ワイヤを固定させることができる。
【００８５】
架空ケーブル用の同様のコネクタを提供することができ、テンションコアに対する機械接続に関する追加の特徴を提供することができる。
【００８６】
合計長の電気容量を小さくする必要がある場合には、コネクタは図９に図示されるような直列コネクタとすることができる。２つのケーブル同士の赤（ケーブルA）と緑（ケーブルB）の接続により、末端の電気容量は、ケーブルAの緑色ワイヤとケーブルBの赤色ワイヤとの間の電気容量となる。電気容量は実質的に単一長のものとなり、誘電ギャップは２倍になる。直列の電気容量の式により与えられる。
【００８７】
【数５】
2021527304.tif 000013
２つの長さが同じ場合には電気容量が半分になる。
【００８８】
直列の電気容量の特徴は、個々の電圧が電気容量の数で分割される点にある。これは高電圧ラインを３つの区分で構成し、各々に高電圧の１/３を持たせることを可能にする上で有用である。これは誘電体の被覆またはテープ/紙の厚さを減少させる上でさらなる利点を有する。直列接続による電気容量の損失はそもそも、単位長あたりの高い電気容量で補填することができる。コネクタについては、詳細を変更することができる。例えば、導電ワイヤの結束末端はソケットへの挿入前に圧着させることができる。さらにソケット自体をネジ締めせずに、後で封止することができるコネクタ体の内で対向して配置された孔を介して圧着させることができる。
【００８９】
本発明は上記の実施形態の詳細に限定されることを意図しない。例えば、導電層を多くまたは少なく設けることができる。これらは上記の通り最内側と最外側が相互接続した偶数個または奇数個の導電シリンダーとして設けることができる。ケーブルの強度のためにケーブルの中心にスチールコアを設けることができる。別の場合、または付加的に、データ伝送および/または温度監視のために光ファイバーなどの他の細長い部品を収容するために、中空の管を中心部に設けることができる。
【図０】
2021527304.tif 000014
【図１】
2021527304.tif 000015
【図２】
2021527304.tif 000016
【図３】
2021527304.tif 000017
【図４】
2021527304.tif 000018
【図５】
2021527304.tif 000019
【図６】
2021527304.tif 000020
【図７】
2021527304.tif 000021
【図８】
2021527304.tif 000022
【図９】
2021527304.tif 000023
【図１０】
2021527304.tif 000024
【図１１】
2021527304.tif 000025
【図１２】
2021527304.tif 000026
【図１３】
2021527304.tif 000027
【図１４】
2021527304.tif 000028
【図１５】
2021527304.tif 000029
【図１６】
2021527304.tif 000030
【図１７】
2021527304.tif 000031
【図１８】
2021527304.tif 000032
【図１９】
2021527304.tif 000033
【図２０】
2021527304.tif 000034
【図２１】
2021527304.tif 000035
【図２２】
2021527304.tif 000036
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
・互いに絶縁され、一方が他方に対して電気容量性の関係にある、少なくとも２セットの導電撚線を備え、
・２以上のセットの導電撚線のセット間の静電容量が少なくとも１０ｎＦ／ｍであり、
・前記２以上のセットの導電撚線のセット間の絶縁体の厚さが少なくとも１０μｍである、
ことを特徴とする容量性送電ケーブル。
【請求項２】
前記絶縁体の厚さがｌ７μｍ〜１０７９μｍであることを特徴とする請求項１に記載の容量性送電ケーブル。
【請求項３】
前記絶縁体の厚さが２０μｍ〜５４０μｍであることを特徴とする請求項１に記載の容量性送電ケーブル。
【請求項４】
前記絶縁体にいわゆる「マグネットワイヤ」で使用される種類のエナメルからなる絶縁被覆が用いられていることを特徴とする請求項１〜３の何れか一項に記載の容量性送電ケーブル。
【請求項５】
導電撚線の前記セット間の静電容量が３．６ｋＶのケーブルに対して１０〜１７０ｎＦ／ｍの範囲内にあり、７２．５ｋＶのケーブルに対して５．５〜９２．５ｎＦ／ｍの範囲内にあることを特徴とする請求項１〜４の何れか一項に記載の容量性送電ケーブル。
【請求項６】
導電撚線の前記セット間の静電容量が２４０Ｖのケーブルに対して１４〜２３５ｎＦ／ｍの範囲内にあり、１４５ｋＶのケーブルに対して５〜８４ｎＦ／ｍの範囲内にあることを特徴とする請求項５に記載の容量性送電ケーブル。
【請求項７】
前記２以上のセットの導電撚線が層内で交互になっていることを特徴とする請求項１〜６の何れか一項に記載の容量性送電ケーブル。
【請求項８】
前記導電撚線は、１つのセットの導電撚線が全て配置された後に、別のセットの導電撚線が全て配置されて交互になっている層の中に配置可能なことを特徴とする請求項１〜６の何れか一項に記載の容量性送電ケーブル。
【請求項９】
前記セットの導電撚線がケーブルの横断面に分布し、前記２セットが互いに電気容量性の関係にあり、前記セットのうち少なくとも一方に属する全部の導電撚線に、絶縁耐力を持つ個別の絶縁被覆が設けられることで、前記セットの導電撚線を絶縁されたままにさせることを特徴とする請求項１〜８の何れか一項に記載の容量性送電ケーブル。
【請求項１０】
前記絶縁被覆に押し出し、巻き付け、編み込みが可能なことを特徴とする請求項１〜９の何れか一項に記載の容量性送電ケーブル。
【請求項１１】
導電撚線のセットのうち少なくとも１つを絶縁せずに、その他のセットの撚線を絶縁させることにより絶縁が提供されることを特徴とする請求項１〜１０の何れか一項に記載の容量性送電ケーブル。
【請求項１２】
導電撚線の全てのセットに個別の絶縁体が設けられることを特徴とする請求項１〜１１の何れか一項に記載の容量性送電ケーブル。
【請求項１３】
各セットに属するそれぞれの絶縁体を別々に着色することでケーブルの両端において接続の区別ができることを特徴とする請求項１２に記載の容量性送電ケーブル。
【請求項１４】
・異なるセットに属する層の間に絶縁体が設けられ、前記少なくとも２つのセットが互いに静電容量的な関係にあることを特徴とする請求項１〜１３の何れか一項に記載の容量性送電ケーブル。
【請求項１５】
導電撚線の一方のセットをスズメッキにより着色し、その他のセットをスズメッキさせずにすることを特徴とする請求項１４に記載の容量性送電ケーブル。
【請求項１６】
層間の絶縁体がポリマーテープからなることを特徴とする請求項１４または１５に記載の容量性送電ケーブル。
【請求項１７】
前記ポリマーテープの厚さが、通常は３０μｍ〜１．３５ｍｍまでであり、好ましくは２５μｍ〜２．７ｍｍまでであることを特徴とする請求項１６に記載の容量性送電ケーブル。
【請求項１８】
前記導電撚線は、各層の間にポリマー絶縁体が設けられることで、個々の撚線の間の隙間が埋められることを特徴とする請求項１〜１７の何れか一項に記載の容量性送電ケーブル。
【請求項１９】
１セットあたり４を超える導電撚線が存在し、通常は１セットあたり３７〜３９７の導電撚線が存在し、好ましくは１セットあたり１９〜５４７の導電撚線が存在することを特徴とする請求項１〜１８の何れか一項に記載の容量性送電ケーブル。
【請求項２０】
前記導電撚線が反対向きに捻られた層の中に配置されることを特徴とする請求項１〜１９の何れか一項に記載の容量性送電ケーブル。
【請求項２１】
前記導電撚線は、各層が加えられた後、ダイを通過するときに圧縮されることを特徴とすることを特徴とする請求項１〜２０の何れか一項に記載の容量性送電ケーブル。
【請求項２２】
前記導電線が銅またはアルミ製のワイヤであって、前記絶縁体がエナメル製であることを特徴とする請求項１〜２１の何れか一項に記載の容量性送電ケーブル。
【請求項２３】
各層が互いに絶縁されている場合に各層が導電線１つの径の厚みを有することを特徴とする請求項１〜２２の何れか一項に記載の容量性送電ケーブル。
【請求項２４】
前記層に、一方が一方向に他方が反対方向に配置された、導電線からなる２つの副層が備えられることを特徴とする請求項１〜２３の何れか一項に記載の容量性送電ケーブル。
【請求項２５】
各層内の副層が編組されることにより組み合わせられていることを特徴とする請求項２３に記載の容量性送電ケーブル。
【請求項２６】
・電気容量的に接続された前記導電撚線のセットの周りに設けられた絶縁体と、
・前記絶縁体の周りに設けられ、電気容量的に接続された前記導電撚線のセットと電気容量的に接続されている接地シースと、
を備え、
前記絶縁体が誘電体として機能するのに十分な厚みを有することで、導電撚線からシースまでの電気容量の大きさが、前記２セットの導電撚線の間の電気容量と比べて、実質的に２桁以上小さくなっていることを特徴とする請求項１〜２５の何れか一項に記載の容量性送電ケーブル。
【請求項２７】
前記シースが外装のため渦巻状に配置されたスチールワイヤからなり、好ましくは接地導体として機能することを特徴とする請求項２６に記載の容量性送電ケーブル。
【請求項２８】
電源側または負荷側の導電線に容量性送電ケーブルを接続するために、第１セットの導電線および第２セットの導電線のための端子を有する接続ブロックが設けられていることを特徴とする請求項１〜２７の何れか一項に記載の容量性送電ケーブル。
【請求項２９】
各接続ブロックにおける一方の端子は、電源接続端子または負荷接続端子がなく孤立しており、他方に電源端子または負荷端子が設けられていることを特徴とする請求項２８に記載の容量性送電ケーブル。
【請求項３０】
前記電源端子または前記負荷端子が、永続的に接続されたバスバーであることを特徴とする請求項２９に記載の容量性送電ケーブル。
【請求項３１】
両側のそれぞれの導電線セットに対して設けられたそれぞれ端子を備え、また内側に相互接続部が設けられた、並列接続コネクタを備え、一本の導電線が同じもう一本の導電線と接続され、その他の導電線も同様にして接続されることを特徴とする請求項２８、２９または３０に記載の容量性送電ケーブル。
【請求項３２】
一側に１セットのための端子を有し、前記端子が他側にある別の何れかもう一本のセットのための端子に内部接続されている、直列接続コネクタを備え、前記直列接続コネクタのそれぞれの側に設けられた、残りのセットの孤立した端子が終端処理されていることを特徴とする請求項２８、２９、または３０に記載の容量性送電ケーブル。
【請求項３３】
請求項１〜２９の何れか一項に記載の少なくとも２以上のケーブルと、請求項３１に記載の少なくとも１つの並列接続コネクタと、請求項３２に記載の少なくとも１つの直列接続コネクタと、が組み合わされ、ケーブルとコネクタが望ましい電気容量を有する１つの長いケーブルとして接続されていることを特徴とする、請求項１〜２８の何れか一項に記載の容量性送電ケーブル。
【請求項３４】
ケーブルの電気容量を選択するため、または一本のまっすぐな接続のために、少なくとも１つの追加セットの導電撚線が備えられることを特徴とする請求項１〜３３の何れか一項に記載の容量性送電ケーブル。
【請求項３５】
少なくとも２セットの導電撚線を備え、前記セットのうち少なくとも一方に属する全ての導電撚線に個別の絶縁体が備えられ、前記２セットが互いに静電容量性の関係にあり、前記導電撚線が反対向きに捻られた層の中に配置され、各層の中に少なくとも２セットの導電撚線が設けられていることを特徴とする容量性送電ケーブル。
【請求項３６】
少なくとも２セットの導電撚線を備え、前記導電撚線が反対向きに捻られた層の中に配置され、１以上の隣接した層に属する撚線が全て１つのセットに属し、これより半径方向に外側にある１以上の隣接した層に属する撚線が全て別の１つのセットに属し、異なるセットに属する層と層の間に絶縁体が設けられ、前記少なくとも２つのセットが互いに静電容量的な関係にあることを特徴とする容量性送電ケーブル。
【国際調査報告】
2021527304.tif 000037
2021527304.tif 000038
2021527304.tif 000039